(57)【要約】【課題】ユーザが、楽曲の再生区間を確認しながら、プレイリストを作成することを可能とする。【解決手段】目的地までの間経路を誘導経路として算出し、誘導経路２０３をナビゲート画像として表示する（ａ）。そして、プレイリスト２４への楽曲の登録を受付け（ｂ、ｃ）その時点でプレイリスト２４に登録されている各楽曲の再生が予定されている再生時間帯を算出し、求めた再生時間帯に走行することが予測される誘導経路上の区間を、再生区間として予測する。そして、ナビゲート画像上の誘導経路２０３の上に、予測した各再生区間の境界を表す白丸２３１を表示すると共に、誘導経路図形２０３上の予測した各再生区間に対応する区間からの吹き出しの形態で、その再生区間を走行中に再生されるオーディオファイル２５の楽曲のタイトルや再生時間帯などの情報２３２を表示する（ｄ）。そして、ユーザの要求に応じてプレイリスト２４の再編集を行う（ｅ、ｆ）。【選択図】図２
2005037142.tif 000002
【特許請求の範囲】
【請求項１】
目的地までの間の経路を探索して誘導経路として設定し、設定した誘導経路を表す誘導経路図形を地図上に表示することにより、誘導経路に沿った走行を案内するナビゲーション部と、
ユーザの編集操作に応じて、楽曲の再生スケジュールを作成する再生スケジュール作成手段と、
前記再生スケジュールに従って、楽曲を再生した場合に、楽曲再生中に通過することが予測される前記誘導経路上の区間を当該楽曲の再生区間として算出する再生区間算出手段と、
前記再生スケジュールによって再生がスケジュールされている各楽曲の情報を、当該楽曲について算出した再生区間に対応する前記誘導経路図形上の区間に対応づけて表示する楽曲再生区間提示手段と、
前記再生スケジュールに従って楽曲を再生する楽曲再生手段とを有することを特徴とする車載システム。
【請求項２】
請求項１記載の車載システムであって、
前記再生スケジュールは、再生する楽曲と、楽曲の再生順を規定するものであり、
前記再生区間算出手段は、各楽曲の再生時間と再生順より、各楽曲の再生時間帯を算出し、各楽曲について、当該楽曲の前記再生区間として、当該楽曲に対し算出した再生時間帯に通過することが予測される前記誘導経路上の区間を算出することを特徴とする車載システム。
【請求項３】
請求項１記載の車載システムであって、
前記再生スケジュールは、再生する楽曲と、楽曲の再生を開始する前記誘導経路上の地点である再生開始地点を規定するものであり、
前記再生区間算出手段は、各楽曲について、当該楽曲の前記再生区間として、当該楽曲の再生開始地点を区間始点とし、当該楽曲の再生開始地点から当該楽曲の再生時間と同じ時間走行した場合に到達する前記誘導経路上の地点を区間終点とする区間を算出することを特徴とする車載システム。
【請求項４】
請求項１記載の車載システムであって、
前記再生スケジュールは、再生する楽曲と、楽曲の再生を開始する時刻である再生開始時刻を規定するものであり、
前記再生区間算出手段は、各楽曲について、当該楽曲の前記再生時間帯を、当該楽曲の再生開始時刻と、当該再生開始時刻から当該楽曲の再生時間経過した時刻との間の時間帯として算出することを特徴とする車載システム。
【請求項５】
請求項１、２、３または４記載の車載システムであって、
前記再生スケジュール作成手段は、前記楽曲再生区間提示手段が、前記再生スケジュールによって再生がスケジュールされている各楽曲の情報を、当該楽曲について算出した再生区間に対応する前記誘導経路図形上の区間に対応づけて表示した後に、再度ユーザの編集操作を受付け、受け付けた編集操作に応じて、楽曲の再生スケジュールを編集することを特徴とする車載システム。
【請求項６】
目的地までの間の経路を探索して誘導経路として設定し、設定した誘導経路を表す誘導経路図形を地図上に表示することにより、誘導経路に沿った走行を案内するナビゲーション部と、
ユーザの編集操作に応じて、再生する楽曲と、楽曲の再生を開始する前記誘導経路上の地点である再生開始地点を規定する再生スケジュールを編集する再生スケジュール作成手段と、
前記再生スケジュールに従って、前記再生スケジュールに規定された再生開始地点または当該再生開始地点近傍の地点で、当該再生開始地点から再生を開始することが規定されている楽曲を再生すると共に、前記再生スケジュールに従って再生すべき楽曲が無い期間に、当該期間の前または後に前記再生スケジュールに従って再生する楽曲と、所定の音楽分類上の属性が共通する楽曲を順次再生する楽曲再生手段とを有することを特徴とする車載システム。
【請求項７】
目的地までの間の経路を探索して誘導経路として設定し、設定した誘導経路を表す誘導経路図形を地図上に表示することにより、誘導経路に沿った走行を案内するナビゲーション部と、
ユーザの編集操作に応じて、再生する楽曲と、楽曲の再生を開始する時刻である再生開始時刻を規定する再生スケジュールを編集する再生スケジュール作成手段と、
前記再生スケジュールに従って、前記再生スケジュールに規定された再生開始時刻または当該再生開始時刻近傍の時刻に、当該再生開始時刻から再生を開始することが規定されている楽曲を再生すると共に、前記再生スケジュールに従って再生すべき楽曲が無い期間に、当該期間の前または後に前記再生スケジュールに従って再生する楽曲と、所定の音楽分類上の属性が共通する楽曲を順次再生する楽曲再生手段とを有することを特徴とする車載システム。
【請求項８】
目的地までの間の経路を探索して誘導経路として設定し、設定した誘導経路を表す誘導経路図形を地図上に表示することにより、誘導経路に沿った走行を案内するナビゲーション部を備えた車載システムにおいて、楽曲を再生する楽曲再生方法であって、
ユーザの編集操作に応じて、楽曲の再生スケジュールを作成するステップと、
前記再生スケジュールに従って、楽曲を再生した場合に、楽曲再生中に通過することが予測される前記誘導経路上の区間を当該楽曲の再生区間として算出するステップと、
前記再生スケジュールによって再生がスケジュールされている各楽曲の情報を、当該楽曲について算出した再生区間に対応する前記誘導経路図形上の区間に対応づけて表示するステップと、
前記再生スケジュールに従って楽曲を再生するステップとを有することを特徴とする車載システムにおける楽曲再生方法。
【請求項９】
コンピュータによって読み取られ実行されるコンピュータプログラムであって、前記コンピュータを、
目的地までの間の経路を探索して誘導経路として設定し、設定した誘導経路を表す誘導経路図形を地図上に表示することにより、誘導経路に沿った走行を案内するナビゲーション部と、
ユーザの編集操作に応じて、楽曲の再生スケジュールを作成する再生スケジュール作成手段と、
前記再生スケジュールに従って、楽曲を再生した場合に、楽曲再生中に通過することが予測される前記誘導経路上の区間を当該楽曲の再生区間として算出する再生区間算出手段と、
前記再生スケジュールによって再生がスケジュールされている各楽曲の情報を、当該楽曲について算出した再生区間に対応する前記誘導経路図形上の区間に対応づけて表示する楽曲再生区間提示手段と、
前記再生スケジュールに従って楽曲を再生する楽曲再生手段として機能させることを特徴とするコンピュータプログラム。
【発明の詳細な説明】
【０００１】
【発明の属する技術分野】
本発明は、ユーザに対して目的地までの経路案内を行うナビゲーション機能を備えた車載システムにおいて楽曲の再生を制御する技術に関するものである。
【０００２】
【従来の技術】
従来より、ユーザから目的地の設定を受付け、受け付けた目的地までの間の経路を探索して誘導経路として設定し、設定した誘導経路を地図上に表示することにより、誘導経路に沿った走行を案内するナビゲーション装置が知られている（たとえば、特開平７−１３４７９８号公報）。
【０００３】
一方で、車載システムにおける楽曲の再生の技術としては、ＨＤＤ（ハードディスクドライブ）を備え、ＣＤ−ＤＡ（Ｃｏｍｐａｃｔ  Ｄｉｓｃ  Ｄｉｇｉｔａｌ  Ａｕｄｉｏ）に記録された楽曲をＨＤＤにオーディオファイルとしてダビング／リッピングし、このＨＤＤに記録された楽曲を再生出力する技術が知られている（たとえば、特表２００３−５０７８３６号公報）。
【０００４】
また、車載システムにおける楽曲の再生の技術としては、予め地点と楽曲を関連づけておき、車両が楽曲と関連する地点に到達したならば、当該地点と関連づけておいた楽曲を再生する技術が知られている（たとえば、特開平８−２４８９５３号公報）。
【０００５】
また、予め複数の楽曲の再生スケジュールをプレイリストやプログラムなどとして作成しておき、再生を行う装置において、作成された再生スケジュールに従って楽曲を順次再生する技術も知られている。
この出願の発明に関連する先行技術文献情報としては以下のものがある。
【０００６】
【特許文献１】
特開平７−１３４７９８号公報
【０００７】
【特許文献２】
特表２００３−５０７８３６号公報
【０００８】
【特許文献３】
特開平８−２４８９５３号公報
【０００９】
【発明が解決しようとする課題】
さて、前記ナビゲーション装置によってルートを定めてドライブを行う場合などに、プレイリストやプログラムなどとしてドライブ中の楽曲の再生スケジュールを作成する場合に、再生スケジュールによって再生する楽曲を、その楽曲を再生するルート上の区間との関係において定めたい場合がある。たとえば、ユーザが、海沿いの道路を通るときに、海沿いのドライブのシチュエーションに相応しいムードの楽曲が再生されるようにしたいと希望するような場合である。
【００１０】
しかし、前記従来のプレイリストやプログラムを用いて楽曲を再生する技術によれば、ユーザは、プレイリストやプログラムを作成する際に、プレイリストやプログラムに登録した楽曲が、ルート上のどの区間で再生されることになるのかを認識することができない。そして、このためにドライブ中の楽曲の再生スケジュールを作成する場合に、再生スケジュールによって再生する楽曲を、その楽曲を再生するルート上の区間との関係において定めることができない。
そこで、本発明は、ユーザが、ドライブ中に再生する楽曲の再生スケジュールを作成する場合に、楽曲が再生される走行区間を認識できるようにすることを課題とする。
【００１１】
また、予め楽曲と関連づけた地点に到達したときに、当該地点に関連づけた楽曲を再生する技術によれば、地点に関連づけた楽曲を再生している期間以外の期間に楽曲を自動的に再生することができない。また、地点に関連づけた楽曲を再生している期間以外の期間には、任意に楽曲を選択して再生するようにすることも考えられるが、このようにすると、地点に関連づけた楽曲を再生している期間と、他の期間で再生される楽曲のムードが不揃いとなってしまい、ユーザに対して充分な快適性を供与することができない。なお、このように楽曲の再生を開始する地点を指定するようにした場合であっても、その楽曲が再生されている間に走行する区間は、これをユーザが確認することができないのは同様である。
【００１２】
そこで、本発明は、ユーザがドライブする区間の一部についてのみ再生する楽曲を規定した場合でも、ドライブする全区間に渡って、ユーザの意図にあったムードの楽曲を順次再生することを課題とする。
【００１３】
【課題を解決するための手段】
前記課題達成のために、本発明は、車載システムを、目的地までの間の経路を探索して誘導経路として設定し、設定した誘導経路を表す誘導経路図形を地図上に表示することにより、誘導経路に沿った走行を案内するナビゲーション部と、ユーザの編集操作に応じて、楽曲の再生スケジュールを作成する再生スケジュール作成手段と、前記再生スケジュールに従って、楽曲を再生した場合に、楽曲再生中に通過することが予測される前記誘導経路上の区間を当該楽曲の再生区間として算出する再生区間算出手段と、前記再生スケジュールによって再生がスケジュールされている各楽曲の情報を、当該楽曲について算出した再生区間に対応する前記誘導経路図形上の区間に対応づけて表示する楽曲再生区間提示手段と、前記再生スケジュールに従って楽曲を再生する楽曲再生手段とを備えて構成したものである。
【００１４】
このような車載システムによれば、ユーザは、作成した再生スケジュールで、再生をスケジュールした楽曲が再生される誘導経路上の区間を、地図上で確認することができるようになる。
ここで、この車載システムでは、より具体的には、前記再生スケジュールを、再生する楽曲と、楽曲の再生順を規定するものとし、前記再生区間算出手段は、各楽曲の再生時間と再生順より、各楽曲の再生時間帯を算出し、各楽曲について、当該楽曲の前記再生区間として、当該楽曲に対し算出した再生時間帯に通過することが予測される前記誘導経路上の区間を算出するようにしてもよい。または、前記再生スケジュールを、再生する楽曲と、楽曲の再生を開始する前記誘導経路上の地点である再生開始地点を規定するものとし、前記再生区間算出手段において、各楽曲について、当該楽曲の前記再生区間として、当該楽曲の再生開始地点を区間始点とし、当該楽曲の再生開始地点から当該楽曲の再生時間と同じ時間走行した場合に到達する前記誘導経路上の地点を区間終点とする区間を算出するようにしてもよい。または、前記再生スケジュールは、再生する楽曲と、楽曲の再生を開始する時刻である再生開始時刻を規定するものとし、前記再生区間算出手段において、各楽曲について、当該楽曲の前記再生時間帯を、当該楽曲の再生開始時刻と、当該再生開始時刻から当該楽曲の再生時間経過した時刻との間の時間帯として算出するようにしてもよい。
【００１５】
また、以上の車載システムは、前記再生スケジュール作成手段において、前記楽曲再生区間提示手段において、前記再生スケジュールによって再生がスケジュールされている各楽曲の情報を、当該楽曲について算出した再生区間に対応する前記誘導経路図形上の区間に対応づけて表示した後に、再度ユーザの編集操作を受付け、受け付けた編集操作に応じて、楽曲の再生スケジュールを編集するようにすることが好ましい。
【００１６】
このようにすることにより、ユーザは、楽曲が再生される誘導経路上の区間を、地図上で確認しながら、楽曲の再生スケジュールを編集、作成することができる。
また、前記課題達成のために、本発明は、車載システムを、目的地までの間の経路を探索して誘導経路として設定し、設定した誘導経路を表す誘導経路図形を地図上に表示することにより、誘導経路に沿った走行を案内するナビゲーション部と、ユーザの編集操作に応じて、再生する楽曲と、楽曲の再生を開始する前記誘導経路上の地点である再生開始地点を規定する再生スケジュールを編集する再生スケジュール作成手段と、前記再生スケジュールに従って、前記再生スケジュールに規定された再生開始地点または当該再生開始地点近傍の地点で、当該再生開始地点から再生を開始することが規定されている楽曲を再生すると共に、前記再生スケジュールに従って再生すべき楽曲が無い期間に、当該期間の前または後に前記再生スケジュールに従って再生する楽曲と、所定の音楽分類上の属性が共通する楽曲を順次再生する楽曲再生手段とを備えて構成したものである。
【００１７】
このような車載システムによれば、再生スケジュールに従って再生すべき楽曲が無い期間には、当該期間の前または後に前記再生スケジュールに従って再生する楽曲と、所定の音楽分類上の属性（たとえば、楽曲アーティストや音楽ジャンル）が共通する楽曲を順次再生する。そして、このように再生スケジュールに従って再生すべき楽曲が無い期間に再生する楽曲は、その前または後にの走行区間で再生することがユーザによって指定されている楽曲と共通のムードを持つものであり、そのムードは、その区間でユーザが聴きたいと思っているムードであると考えられる。したがって、ユーザがドライブする区間の一部についてのみ再生する楽曲を規定した場合でも、ドライブする全区間に渡って、ユーザの意図にあったムードの楽曲を順次再生することができる。
【００１８】
また、前記課題達成のために、本発明は、目的地までの間の経路を探索して誘導経路として設定し、設定した誘導経路を表す誘導経路図形を地図上に表示することにより、誘導経路に沿った走行を案内するナビゲーション部と、ユーザの編集操作に応じて、再生する楽曲と、楽曲の再生を開始する時刻である再生開始時刻を規定する再生スケジュールを編集する再生スケジュール作成手段と、前記再生スケジュールに従って、前記再生スケジュールに規定された再生開始時刻または当該再生開始時刻近傍の時刻に、当該再生開始時刻から再生を開始することが規定されている楽曲を再生すると共に、前記再生スケジュールに従って再生すべき楽曲が無い期間に、当該期間の前または後に前記再生スケジュールに従って再生する楽曲と、所定の音楽分類上の属性が共通する楽曲を順次再生する楽曲再生手段とを備えて構成したものである。
【００１９】
このような車載システムによれば、再生スケジュールに従って再生すべき楽曲が無い期間には、当該期間の前または後に前記再生スケジュールに従って再生する楽曲と、所定の音楽分類上の属性（たとえば、楽曲アーティストや音楽ジャンル）が共通する楽曲を順次再生する。そして、このように再生スケジュールに従って再生すべき楽曲が無い期間に再生する楽曲は、その前または後にの時間帯に再生することがユーザによって指定されている楽曲と共通のムードを持つものであり、そのムードは、その区間でユーザが聴きたいと思っているムードであると考えられる。したがって、ユーザがドライブする区間の一部についてのみ再生する楽曲を規定した場合でも、ドライブする全区間に渡って、ユーザの意図にあったムードの楽曲を順次再生することができる。
【００２０】
【発明の実施の形態】
以下、本発明の実施形態について説明する。
まず、第１の実施形態について説明する。
図１に、本実施形態に係る車載システムの構成を示す。
図示するように、本実施形態に係る車載システムは、制御部１、ＨＤＤ２（ハードディスクドライブ）、メモリ３、ナビゲーション部４、操作部５、表示制御部６、表示部７、ＣＤ−ＤＡ２１を脱着可能に装着するためのＣＤドライブ８、オーディオコーデック９、Ｄ／Ａ変換器１０、アンプ１１、スピーカ１２、ＧＰＳ受信機や車速センサや角加速度センサなどの自車の走行状態を検知するため装置の集合である状態検知部１３を備えている。
【００２１】
また、ＨＤＤ２には、地図データ２２、ＣＤＤＢ２３、プレイリスト２４、オーディオファイル２５が格納される。ここで、ＣＤＤＢ２３には、各ＣＤ−ＤＡ２１の種類（アルバム）毎にアルバム名やアーティスト名やＣＤ−ＤＡ２１に記録されている各楽曲のタイトルや音楽としてのジャンルや再生時間などの楽曲の情報が、ＣＤ−ＤＡ２１の識別情報（通常はＴＯＣ情報）に対応づけて登録されている。また、オーディオファイル２５は、楽曲のオーディオデータを格納したファイルであり、オーディオファイル２５中にはオーディオデータと共に、楽曲のアーティスト名やタイトルや楽曲のジャンルや再生時間や楽曲の属するアルバム名などのデータを示す文字情報であるタグ情報が格納されている。なお、このようなタグ情報としては、ＭＰ３（ＭＰＥＧ  １  ＡＵＤＩＯ  ＬＡＹＥＲ−３）フォーマットのオーディオファイル２５で利用されている、ＩＤ３タグ情報などが知られている。
【００２２】
そして、ナビゲーション部４は、ＨＤＤ２に格納された地図データ２２と状態検知部の検知内容のマップマッチングを行って現在位置や現在の走行中路線や走行方向の算出を行う現在位置算出部４１、現在位置からユーザによって指定された目的地までの経路探索を行うルート探索部４２、ユーザに対して各種案内処理を行う案内処理部４３を有している。
【００２３】
なお、図中の太線はオーディオデータや地図データ２２の経路を示し、細線は制御系の情報、信号の経路を示している。
ただし、このような車載システムは、ハードウエア的には、ＣＰＵや主記憶等を備えたコンピュータシステムを用いて構成するようにして良く、この場合、状態検知部や表示部７や操作部５やＨＤＤ２やＣＤドライブ８を除く各部、または、その一部は、ＣＰＵがコンピュータプログラムを実行することにより実現されるものとしてよい。
【００２４】
さて、このような車載システムは、ＣＤドライブ８に装着されたＣＤ−ＤＡ２１に記録されている楽曲を再生する機能と、ＣＤドライブ８に装着されたＣＤ−ＤＡ２１に記録されている楽曲のオーディオデータを読み出してＨＤＤ２にオーディオファイル２５として記録する機能と、ＨＤＤ２に記録されているオーディオファイル２５の楽曲を再生する動作とを備えている。
【００２５】
すなわち、制御部１は、ＣＤ−ＤＡ２１に記録されている楽曲を再生する場合には、ＣＤ−ＤＡ２１の各オーディオトラックからオーディオデータを読み出し、オーディオコーデック９に供給して復号化させる。また、復号化データをＤ／Ａ変換器１０でアナログ信号に変換して、アンプ１１よりスピーカ１２から出力する動作を制御する。
【００２６】
また、制御部１は、ＨＤＤ２にＣＤ−ＤＡ２１の楽曲をオーディオファイル２５として記録する場合には、ＣＤドライブ８を介してＣＤ−ＤＡ２１より識別情報（ＴＯＣ情報）を読み込む。そして、順次、ＣＤ−ＤＡ２１に記録されているオーディオトラックの楽曲を読み出して、オーディオコーデック９に供給して、ＭＰ３、ＡＡＣ等の所定の圧縮アルゴリズムによって圧縮符号化し、圧縮オーディオデータとする。また、ＣＤ−ＤＡ２１の識別情報を用いて、ＣＤＤＢ２３より、その楽曲の属するアルバム名や、その楽曲のアーティストやタイトルや音楽としてのジャンルや再生時間などをタグ情報として抽出する。そして、抽出したタグ情報を圧縮オーディオデータに付加し、オーディオファイル２５として、ＨＤＤ２に記録する。
【００２７】
そして、制御部１は、ＨＤＤ２に記録されたオーディオファイル２５の再生を行う場合には、再生するオーディオファイル２５に格納された圧縮オーディオデータをＨＤＤ２から読み出して、オーディオコーデック９に供給して復号化すると共に、復号したオーディオデータをＤ／Ａ変換器１０でアナログ信号に変換し、アンプ１１よりスピーカ１２に出力する動作を制御する。
【００２８】
また、制御部１は、操作部５を介して、ユーザからの目的地の指定を受け付け、ルート探索部４２に、現在位置算出部４１が算出した現在位置から、受け付けた目的地までの経路を誘導経路として探索させる。また、案内処理部４３に、地図データ２２が示す地図上に、現在の走行方位に対応する方向を向いた現在位置マークを描画させたナビゲート画像を生成させる。また、誘導経路が設定されている場合には、案内処理部４３に、ナビゲート画像中に、現在位置より目的地側の誘導経路を表す誘導経路図形と、目的地の位置を示す目的地マークをナビゲート画像中に、描画させる。そして、制御部１は、生成されたナビゲート画像を表示制御部６を介して、表示部７に表示する。
【００２９】
図２ａは、このようにして表示されるナビゲート画像を示すものであり、図示するように、誘導経路が設定されている場合のナビゲート画像は、地図データ２２が示す地図２０１上に、現在位置を示す現在位置マーク２０２と、誘導経路を表す誘導経路図形２０３と、目的地の位置を示す目的地マーク２０４が表示されたものとなる。
【００３０】
さて、このような車載システムにおいて、制御部１は、誘導経路を設定し、誘導経路図形２０３を描画したナビゲート画像を表示部７に表示したならば、楽曲再生制御処理を行う。または、誘導経路が設定されており、誘導経路図形２０３を描画したナビゲート画像を表示部７に表示している状態において、ユーザから操作部５を介して楽曲再生制御の要求を受けたときに、この楽曲再生制御処理を行う。
【００３１】
図３に、この楽曲再生制御処理の手順を示す。
図示するように、この処理では、まず、メモリ３上に新規プレイリストを作成する（ステップ３０２）。そして、設定されている誘導経路に従って走行した場合の、目的地到着までの所要時間を誘導経路の距離や誘導経路上の道路の高速道路や一般道といった種別等より算出し、残再生時間に設定する（ステップ３０４）。
【００３２】
そして、ナビゲート画像上に図２ｂに示すプレイリスト作成ウインドウ２１０を表示する（ステップ３０６）。図示するように、このプレイリスト作成ウインドウ２１０には、算出した目的地到着までの所要時間と現在設定されている残再生時間を表示する。また、プレイリスト作成ウインドウ２１０には、作成したプレイリスト２４に登録されている各オーディオファイル２５の楽曲のタイトルと再生時間の組を各列として、各列をそのオーディオファイル２５のプレイリスト２４が規定する再生順に表示したリストを表示する。なお、この残再生時間の表示は、以下の処理における残再生時間の更新に伴い随時更新される。また、各オーディオファイル２５の楽曲のタイトルと再生時間の組を各列とするリストの表示も、以下の処理におけるプレイリスト２４の更新（オーディオファイル２５の追加登録、再生順変更、削除）に伴い随時更新する。
【００３３】
さて、このプレイリスト２４への楽曲の登録は、プレイリスト作成ウインドウ２１０の追加ボタン２１１の操作によって受け付ける。すなわち、プレイリスト作成ウインドウ２１０の追加ボタン２１１が操作されたならば（ステップ３０８）、図２ｃに示す楽曲選択ウインドウ２２０を表示する（ステップ３３６）。図示するように、この楽曲選択ウインドウ２２０には、ＨＤＤ２に記録されているオーディオファイル２５の一覧を、各オーディオファイル２５のタグ情報が示す楽曲のタイトルと再生時間の組を列とするリストによって表示する。ここで、このリスト上の各オーディオファイル２５の表示の順番は、そのオーディオファイル２５が過去に再生された回数順とする。なお、このためには、制御部１において、各オーディオファイル２５が再生された回数を管理するようにする。
【００３４】
そして、この楽曲選択ウインドウ２２０上で、いずれかのオーディオファイル２５が選択され、選択ボタン２２１が操作されたならば（ステップ３４０）、選択されたオーディオファイル２５をプレイリスト２４に再生順が最後のオーディオファイル２５として追加登録し（ステップ３４２）、残再生時間を、現在の残再生時間から追加登録したオーディオファイル２５の再生時間を減算した時間に更新し（ステップ３４４）、楽曲選択ウインドウ２２０を閉じる（ステップ３４６）。また、もし、楽曲選択ウインドウ２２０の取消ボタン２２２が操作された場合には（ステップ３３８）、そのまま、楽曲選択ウインドウ２２０を閉じるようにする（ステップ３４６）。
【００３５】
なお、楽曲選択ウインドウ２２０に設けた前リストボタン２２３と、次リストボタン２２４は、楽曲選択ウインドウ２２０に表示するオーディオファイル２５の一覧を、たとえば、過去の再生回数の多いものからオーディオファイル２５を順番づけた場合における順番上、現在表示しているオーディオファイル２５の一覧の前のまたは次の順番となる一覧に切り替えるためのものである。
【００３６】
さて、ユーザは、このようにしてプレイリスト２４に登録された各オーディオファイル２５の再生順を、プレイリスト作成ウインドウ２１０の楽曲のタイトルと再生時間の組のリスト上で、所望のオーディオファイル２５の列のドラッグアンドドロップ操作などによる移動操作を行うことによって変更することができる。すなわち、制御部１は、プレイリスト作成ウインドウ２１０の楽曲のタイトルと再生時間の組のリスト上での、ｎ列目の列のｍ列目とｍ＋１列目の間への移動操作があると（ステップ３１０）、ｎ列目の列以降の列の表示を１列づつ繰り上げ、繰り上げ前にｍ＋１列目であった列以降の各列の表示を１列づつ繰り下げ、繰り上げ前にｍ列目であった列の表示の次の列にｎ列目であった列を表示する。そして、移動後の表示順に合わせてプレイリスト２４の各オーディオファイル２５の再生順番を更新する（ステップ３４８）。
【００３７】
また、このプレイリスト作成ウインドウ２１０上で、プレイリスト作成ウインドウ２１０の楽曲のタイトルと再生時間の組のリスト上での列の選択と、削除ボタン２１２の操作があった場合には（ステップ３１２）、選択された列に対応するオーディオファイル２５の登録を、プレイリスト２４から削除し、削除したオーディオファイル以降の再生順の各オーディオファイル２５の再生順を１繰り上げる（ステップ３５０）。また、再生時間を、現在の残再生時間に削除したオーディオファイルの再生時間を加算することにより更新する（ステップ３５２）。
【００３８】
そして、プレイリスト作成ウインドウ２１０の完了ボタン２１３が作成された場合には（ステップ３１４）、プレイリスト作成ウインドウ２１０を消去し（ステップ３１６）、以下の処理を行う。
すなわち、まず、その時点でプレイリスト２４に登録されている各楽曲の再生時間帯を算出する（ステップ３１８）。この各オーディオファイル２５の再生時間帯は、再生開始時刻が、そのオーディオファイル２５より再生順が前の各オーディオファイル２５の再生時間の和を、現在時刻に加えた時刻として求まり、再生終了時刻が、再生開始時刻にそのオーディオファイル２５の再生時間を加えた時刻として求まる。
【００３９】
次に、このようにしてプレイリスト２４に登録されている各オーディオファイル２５の再生時間帯が求まったならば、求めた再生時間帯に走行することが予測される誘導経路上の区間を、再生区間として予測する（ステップ３２０）。このオーディオファイル２５の再生区間の予測は、そのオーディオファイル２５の再生時間帯の再生開始時刻までに走行を完了する位置と、オーディオファイル２５の再生時間帯の再生終了時刻までに走行を完了する位置とを、誘導経路に従った走行を現在開始するものとして、当該位置までの距離と当該位置までに経由する道路種別を考慮しながら算出することにより行う。
【００４０】
次に、各オーディオファイル２５の再生区間を予測したならば、図２ｄに示すように、予測した各再生区間に対応づけて、その再生区間を走行中に再生されるオーディオファイル２５の楽曲のタイトルや再生開始時刻や再生終了時刻といった情報を楽曲情報として表示する（ステップ３２２）。
【００４１】
図２ｄでは、ナビゲート画像上で誘導経路を表す誘導経路図形２０３の上に、予測した各再生区間の境界を表す白丸２３１を表示すると共に、誘導経路図形２０３上の予測した各再生区間に対応する区間からの吹き出しの形態で、その再生区間を走行中に再生されるオーディオファイル２５の楽曲情報２３２を表示している。
【００４２】
さて、制御部１は、この楽曲情報の表示と共に、再生受付ウインドウ２４０を表示する（ステップ３２４）。
そして、再生受付ウインドウ２４０の再編集ボタン２４１が操作されたならば（ステップ３２６）、再生受付ウインドウ２４０を閉じ（ステップ３５４）、ステップ３０６に戻って、たとえば図２ｅ、ｆに示すようなプレイリスト２４の編集の処理を再度行う。一方、再生受付ウインドウ２４０の取消ボタン２４２が操作されたならば（ステップ３２８）、作成したプレイリスト２４を削除して（ステップ３５６）、再生受付ウインドウ２４０と区間境界の白丸や楽曲情報の表示を消去し（ステップ３５８）、処理を終了する。
【００４３】
一方、再生受付ウインドウ２４０の再生ボタン２４３が操作されたならば（ステップ３３０）、再生受付ウインドウ２４０と区間境界の白丸２３１や楽曲情報２３２の表示を消去し（ステップ３３２）、作成したプレイリスト２４をＨＤＤ２に記録した上で、プレイリスト２４に登録された各オーディオファイル２５の、プレイリスト２４が規定する再生順による再生を行って（ステップ３３４）、処理を終了する。
【００４４】
以上、本発明の第１実施形態について説明した。
以上のように本第１実施形態によれば、ユーザは、楽曲が再生される誘導経路上の区間を確認しながら、プレイリスト２４の作成を行うことができる。
以下、本発明の第２実施形態について説明する。
本第２実施形態は、上記第１実施形態における楽曲再生制御処理とを、図４に手順を示す楽曲再生制御処理に置き換えたものである。
すなわち、本第２実施形態の楽曲再生制御処理では、まず、メモリ３上に新規プレイリストを作成する（ステップ４０２）。
そして、この時点で、図５ａに示すように表示されているナビゲート画像上に、図５ｂに示すように、カーソル５００と再生制御ウインドウ５１０を表示する（ステップ４０４、４０６）。そして、ユーザのカーソル５００の操作によって、誘導経路図形２０３の上の地点がユーザによって指定されたならば、これを楽曲再生開始地点として受付け（ステップ４０８）、図５ｃに示すように楽曲選択ウインドウ２２０を表示する（ステップ４３０）。そして、この楽曲選択ウインドウ２２０上で、いずれかのオーディオファイル２５が選択され、選択ボタン２２１が操作されたならば、選択されたオーディオファイル２５の、再生時間帯と、再生区間を算出する（ステップ４３６、４３８）。再生時間帯は、楽曲再生開始地点への到着予測時刻から、選択されたオーディオファイル２５の再生時間分の時間帯として求まり、再生区間は、楽曲再生開始地点と、楽曲再生開始地点から選択されたオーディオファイル２５の再生時間走行した地点との間の区間として求まる。
【００４５】
そして、再生時間帯と再生区間が求まったならば、プレイリスト２４に、選択されたオーディオファイル２５を、その楽曲再生開始地点と共に登録する。そして、プレイリスト２４に登録されている各オーディオファイル２５の再生順を、各オーディオファイル２５の再生開始地点の誘導経路上の順番に並べ変える（ステップ４４０）。
【００４６】
その上で、図５ｄに示すように、算出した再生区間を、白丸２３１で表した境界によって示すと共に、その再生区間に対応づけて、プレイリスト２４に登録したオーディオファイル２５の楽曲のタイトルや再生開始時刻や再生終了時刻といった情報を楽曲情報２３２として表示する（ステップ４４２）。そして、楽曲選択ウインドウ２２０を閉じる（ステップ４４４）。
【００４７】
なお、楽曲選択ウインドウ２２０の取消ボタン２２２が操作された場合には（ステップ４３２）、そのまま楽曲選択ウインドウ２２０を閉じる（ステップ４４４）。
以下、同様に、カーソル５００の誘導経路上の地点の指定に応じて、図５ｅ、ｆのようにプレイリスト２４へのオーディオファイル２５の登録と、登録されたオーディオファイル２５の楽曲情報２３２の、当該オーディオファイル２５について算出した再生区間に対応づけた表示を行う。
【００４８】
一方、再生制御ウインドウ５１０の、取消ボタン５１２が操作された場合には（ステップ４１０）、作成したプレイリスト２４を削除し、再生制御ウインドウ５１０と、再生受付ウインドウ２４０と区間境界の白丸２３１や楽曲情報２３２の表示を消去し（ステップ４４６）、処理を終了する。
【００４９】
そして、再生制御ウインドウ５１０の再生ボタン５１１が操作された場合には（ステップ４１２）、再生制御ウインドウ５１０と区間境界の白丸２３１や楽曲情報２３２の表示を消去した上で（ステップ４１４）、以下のプレイリスト２４の再生の処理を行う。ただし、プレイリスト２４にオーディオファイル２５が一つも登録されていない場合には、再生ボタン５１１の操作は受け付けないようにする。
【００５０】
さて、プレイリスト２４の再生の処理では、まず、プレイリスト２４の再生順が最初のオーディオファイル２５を対象楽曲とし（ステップ４１６）、プレイリスト２４に登録されているそのオーディオファイル２５の楽曲再生開始地点を着目地点に設定する（ステップ４１８）。そして、着目地点に現在位置算出部４１が算出した現在位置が既に到達しているかどうかを調べ（ステップ４２０）、到達していれば対象楽曲の再生を開始し（ステップ４５０）、再生が終了したならば（ステップ４５２）、プレイリスト２４に対象楽曲の次の再生順のオーディオファイル２５が存在するかどうかを調べ（ステップ４５４）、次の再生順のオーディオファイル２５が存在する場合には、存在した次の再生順のオーディオファイル２５を対象楽曲に設定し（ステップ４５６）、ステップ４１８に戻る。
【００５１】
さて、ステップ４１８において、着目地点にまだ到達していないと判定された場合には、プレイリスト２４に対象楽曲の前の再生順のオーディオファイル２５が存在するかどうか、すなわち対象楽曲がプレイリスト２４に登録された最初の再生順のオーディオファイル２５以外のオーディオファイル２５であるかどうかを調べ（ステップ４２２）、そうである場合には対象楽曲の前の再生順のオーディオファイル２５を基準楽曲とし（ステップ４２４）、そうではなく再生順が最初のオーディオファイル２５である場合には対象楽曲を基準楽曲とする（ステップ４４８）。そして、基準楽曲と関連する未再生のオーディオファイル２５をＨＤＤ２から探索して再生し（ステップ４２６）、再生が終了したならば（ステップ４２８）、ステップ４２０に戻る。ここで、基準楽曲と関連する未再生のオーディオファイル２５としては、基準楽曲としたオーディオファイル２５のタグ情報が示すアーティストと同じアーティストをタグ情報が示すオーディオファイル２５、すなわち、基準楽曲と同じアーティストによる楽曲のオーディオファイル２５を探索する。または、基準楽曲としたオーディオファイル２５のタグ情報が示すジャンルと同じジャンルをタグ情報が示すオーディオファイル２５、すなわち、基準楽曲と同じジャンルの楽曲のオーディオファイル２５を探索する。
【００５２】
さて、ステップ４５４で、対象楽曲の次の再生順のオーディオファイル２５がプレイリスト２４に登録されていないと判定された場合、すなわち、対象楽曲がプレイリスト２４に登録された最後の再生順のオーディオファイル２５である場合には、以降、目的地に到着するまで（ステップ４６２）、対象楽曲と関連する未再生のオーディオファイル２５をＨＤＤ２から探索して再生する処理（ステップ４５８、４６０）を、目的地に到達するまで行い、目的地に到達したならば、処理を終了する。
【００５３】
さて、以上の処理の結果、プレイリスト２４に登録されている最初の再生順のオーディオファイル２５の楽曲再生開始地点に到達するまでは、プレイリスト２４に登録されている最初の再生順のオーディオファイル２５の楽曲と同じアーティストやジャンルの楽曲のオーディオファイル２５が順次再生される。そして、プレイリスト２４に登録されている最初の再生順のオーディオファイル２５の楽曲再生開始地点に到達時に再生していたオーディオファイル２５の再生が終了すると、プレイリスト２４に登録されている最初の再生順のオーディオファイル２５が再生される。
【００５４】
また、プレイリスト２４に登録されている最初の再生順のオーディオファイル２５の再生が終了すると、プレイリスト２４に登録されている２番目の再生順のオーディオファイル２５の楽曲再生開始地点に到達するまで、プレイリスト２４に登録されている最初の再生順のオーディオファイル２５の楽曲と同じアーティストやジャンルの楽曲のオーディオファイル２５が順次再生される。そして、プレイリスト２４に登録されている２番目の再生順のオーディオファイル２５の楽曲再生開始地点に到達時に再生していたオーディオファイル２５の再生が終了すると、プレイリスト２４に登録されている２番目の再生順のオーディオファイル２５が再生される。
【００５５】
そして、以降同様に、プレイリスト２４に登録されているｎ番目の再生順のオーディオファイル２５の再生が終了すると、プレイリスト２４に登録されているｎ＋１番目の再生順のオーディオファイル２５の楽曲再生開始地点に到達するまで、プレイリスト２４に登録されているｎ番目の再生順のオーディオファイル２５の楽曲と同じアーティストやジャンルの楽曲のオーディオファイル２５が順次再生される。そして、プレイリスト２４に登録されているｎ＋１番目の再生順のオーディオファイル２５の楽曲再生開始地点に到達時に再生していたオーディオファイル２５の再生が終了すると、プレイリスト２４に登録されているｎ＋１番目の再生順のオーディオファイル２５が再生される。
【００５６】
また、プレイリスト２４に登録されている最後の再生順のオーディオファイル２５の再生が終了すると、目的地に到達するまで、プレイリスト２４に登録されている最後の再生順のオーディオファイル２５の楽曲と同じアーティストやジャンルの楽曲のオーディオファイル２５が順次再生される。そして、目的地に到達すると、目的地到達時に再生していたオーディオファイル２５の再生が終了しだい、楽曲再生制御処理が終了する。
【００５７】
したがって、本第２実施形態によれば、ユーザは、再生区間を確認しながら楽曲の再生開始地点を指定したプレイリスト２４の作成を行うことができる。また、本第２実施形態によれば、プレイリスト２４に登録された各オーディオファイル２５を、そのオーディオファイル２５についてユーザが指定した楽曲再生開始地点近傍の地点で再生が開始するようにしつつ、再生すべきプレイリスト２４に登録されたオーディオファイル２５が存在しない期間には、プレイリスト２４に登録されたオーディオファイル２５のうちの直前に再生したオーディオファイル２５と、同じアーティストやジャンルの楽曲、したがって、プレイリスト２４に登録されたオーディオファイル２５のうちの直前に再生したオーディオファイル２５と同じムードの楽曲であるためにユーザがその区間で聞きたいであろうと推定される楽曲を選択して再生することができる。ただし、プレイリスト２４に登録された最初の再生順のオーディオファイル２５の再生前は、直前に再生したプレイリスト２４に登録されたオーディオファイル２５が存在しないので、この最初の再生順のオーディオファイル２５と同じアーティストやジャンルの楽曲を再生するようにしている。
【００５８】
なお、ステップ４２０の着目地点到達の判定では、着目地点が楽曲再生開始地点である場合には、着目地点の所定距離（たとえば５００ｍ）手前の地点に到達した時点で、着目地点に到達したと判定することにより、プレイリスト２４に登録されたオーディオファイル２５の再生が、そのオーディオファイル２５の楽曲再生開始地点を大きく通りすぎた地点から再生されることを抑制するようにしてもよい。また、できるだけ着目地点近くで、オーディオファイル２５の再生が終了し、その着目地点を楽曲再生開始地点とするオーディオファイル２５の再生が開始されるように、ステップ４２６において、再生するオーディオファイル２５の選定を、ＨＤＤ２に記録されている各オーディオファイル２５の再生時間と着目地点までの距離を考慮して行うようにしてもよい。
【００５９】
以上、第２の実施形態について説明した。
以下、第３の実施形態について説明する。
本第３実施形態は、上記第１実施形態における楽曲再生制御処理とを、図６、７に手順を示す楽曲再生制御処理に置き換えたものである。
図６に示すように、この処理では、まず、メモリ３上に新規プレイリストを作成する（ステップ６０２）。そして、設定されている誘導経路に従って走行した場合の、目的地到着時刻を算出する（ステップ６０４）。
そして、この時点で図８ａのように表示されているナビゲート画像上に図８ｂに示すプレイリスト作成ウインドウ８１０を表示する（ステップ６０６）。図示するように、このプレイリスト作成ウインドウ８１０には、算出した目的地到着時刻を表示する。また、プレイリスト作成ウインドウ８１０には、作成したプレイリスト２４に登録されている各オーディオファイル２５の楽曲のタイトルと再生開始時刻の組を各列として、各列をそのオーディオファイル２５のプレイリスト２４が規定する再生順に表示したリストを表示する。ただし、この再生開始時刻は、このリストの各列において、ユーザから設定を受け付ける。
【００６０】
さて、このプレイリスト２４への楽曲の登録は、プレイリスト作成ウインドウ８１０の追加ボタン８１１の操作によって受け付ける。すなわち、プレイリスト作成ウインドウ２１０の追加ボタン８１１が操作されたならば（ステップ６０８）、図８ｃに示す楽曲選択ウインドウ２２０を表示し（ステップ６３４）、前記第１実施形態と同様に、選択ボタン２２１の操作に応じて（ステップ６３８）、プレイリスト２４に登録する楽曲のオーディオファイル２５の選択を受け付け、選択された楽曲のオーディオファイル２５をプレイリスト２４に登録し（ステップ６４０）、楽曲選択ウインドウ２２０を閉じる（ステップ６４２）。ただし、取消ボタン２２２が操作された場合には、そのまま、楽曲選択ウインドウ２２０を閉じる（ステップ６４２）。
【００６１】
さて、前述のように、ユーザは、このようにしてプレイリスト２４に登録された各オーディオファイル２５の再生開始時刻を、図８ｄ、図８ｅの８２０に示すように、プレイリスト作成ウインドウ８１０の楽曲のリスト上の、任意のオーディオファイル２５の列に所望の時刻を入力することにより設定することができる。
【００６２】
すなわち、ユーザから再生開始時刻の設定を受けた制御部１は（ステップ６１０）、プレイリスト２４に、設定された再生開始時刻を、当該再生開始時刻の設定を受け付けたオーディオファイル２５の再生開始時刻として登録し（ステップ６４４）、再生開始時刻の順に、プレイリスト２４に登録された各オーディオファイル２５の再生順を更新する（ステップ６４６）。
【００６３】
また、このプレイリスト作成ウインドウ８１０上で、楽曲のリスト上での列の選択と、削除ボタン８１２の操作があった場合には（ステップ６１２）、選択された列に対応するオーディオファイル２５の登録を、プレイリスト２４から削除し、削除したオーディオファイル以降の再生順の各オーディオファイル２５の再生順を１繰り上げる（ステップ６４８）。
【００６４】
そして、プレイリスト作成ウインドウ８１０の完了ボタン８１３が作成された場合には（ステップ６１４）、プレイリスト作成ウインドウ８１０を消去し（ステップ６１６）、以下の処理を行う。
すなわち、まず、その時点でプレイリスト２４に登録されている各楽曲の再生時間帯を算出する（ステップ６１８）。この各オーディオファイル２５の再生時間帯は、再生開始時刻から、再生開始時刻にそのオーディオファイル２５の再生時間のを加えた時刻までの時間帯として求まる。
【００６５】
次に、このようにしてプレイリスト２４に登録されている各オーディオファイル２５の再生時間帯が求まったならば、求めた再生時間帯に走行することが予測される誘導経路上の区間を、再生区間として予測する（ステップ６２０）。そして、各オーディオファイル２５の再生区間を予測できたならば、図８ｆに示すように、予測した各再生区間を、その境界を白丸２３１で示すことにより表示すると共に、各再生区間に対応づけて、その再生区間を走行中に再生されるオーディオファイル２５の楽曲のタイトルや再生開始時刻や再生終了時刻といった情報を楽曲情報２３２として表示する（ステップ６２２）。
【００６６】
また、制御部１は、この楽曲情報の表示と共に、再生受付ウインドウ２４０を表示する（ステップ６２４）。
そして、再生受付ウインドウ２４０の再編集ボタン２４１が操作されたならば（ステップ６２６）、再生受付ウインドウ２４０を閉じた上で（ステップ６５０）、ステップ６０６に戻って、プレイリスト２４の編集の処理を再度行う。一方、再生受付ウインドウ２４０の取消ボタン２４２が操作されたならば（ステップ６２８）、プレイリスト２４を削除して、再生受付ウインドウ２４０と区間境界の白丸や楽曲情報の表示を消去し（ステップ６５０）、処理を終了する。
【００６７】
一方、再生受付ウインドウ２４０の再生ボタン２４３が操作されたならば（ステップ６３０）、再生受付ウインドウ２４０と区間境界の白丸２３１や楽曲情報２３２の表示を消去し（ステップ６３２）、以下の処理を行う。
すなわち、図７に示すように、現在時刻から目的地到着時刻までの時間帯のうちの、プレイリスト２４に登録されているオーディオファイル２５の再生時間でない各時間帯を順次、未指定時間帯とし（ステップ７０２、７１４、７２２）、各未指定時間帯について以下の処理を行う。
【００６８】
すなわち、未指定時間帯の前の再生開始時刻を持つオーディオファイル２５がプレイリスト２４に登録されているかどうかを調べ（ステップ７０４）、登録されていれば、未指定時間帯の直前に再生されるプレイリスト登録のオーディオファイル２５（未指定時間帯の開始時刻を再生時間帯の終わりとするオーディオファイル２５）を基準楽曲とし（ステップ７０６）、登録されていない場合には未指定時間帯の次に再生されるプレイリスト登録のオーディオファイル２５（未指定時間帯の終了時刻を再生開始時刻とするオーディオファイル２５）を基準楽曲とする（ステップ７１８）。
【００６９】
そして、基準楽曲と関連する未再生の１または複数のオーディオファイル２５を、そのオーディオファイル２５の再生時間の和と、未指定時間帯の長さとの差が最小となるようにＨＤＤ２から探索する（ステップ７０８）。ここで、基準楽曲と関連する未再生のオーディオファイル２５としては、前記第２実施形態と同様に、基準楽曲としたオーディオファイル２５のタグ情報が示すアーティストと同じアーティストをタグ情報が示すオーディオファイル２５、すなわち、基準楽曲と同じアーティストによる楽曲のオーディオファイル２５を探索する。または、基準楽曲としたオーディオファイル２５のタグ情報が示すジャンルと同じジャンルをタグ情報が示すオーディオファイル２５、すなわち、基準楽曲と同じジャンルの楽曲のオーディオファイル２５を探索する。
そして、探索した１または複数のオーディオファイル２５を、未指定時間帯の前の再生開始時刻を持つオーディオファイル２５がプレイリスト２４に登録されていない場合には（ステップ７１０）、プレイリスト２４に最初の再生順を持つオーディオファイル２５の前に順次再生されるべきオーディオファイル２５としてプレイリスト２４に登録し（ステップ７２０）、未指定時間帯の前の再生開始時刻を持つオーディオファイル２５がプレイリスト２４に登録されていれば（ステップ７１０）、未指定時間帯の直前に再生されるプレイリスト登録のオーディオファイル２５の次に順次再生されるべきオーディオファイル２５としてプレイリスト２４に登録する（ステップ７１２）。
【００７０】
そして、プレイリスト２４に登録されているオーディオファイル２５の再生時間でない目的地到着時刻までの時間帯の全てについて、以上の処理が終了したならば（ステップ７１４）、、作成したプレイリスト２４をＨＤＤ２に記録した上で、プレイリスト２４に登録された各オーディオファイル２５を、プレイリスト２４が規定する再生順に再生し（ステップ７１６）、処理を終了する。
【００７１】
以上、本発明の第３の実施形態について説明した。
以上のように本第３実施形態によれば、ユーザは、再生区間を確認しながら楽曲の再生開始時刻を指定したプレイリスト２４の作成を行うことができる。また、本第３実施形態によれば、プレイリスト２４に登録された各オーディオファイル２５を、そのオーディオファイル２５についてユーザが指定した再生開始時刻近傍の時刻に再生が開始しつつ、再生すべきプレイリスト２４に登録されたオーディオファイル２５が存在しない期間には、直前に再生したプレイリスト２４に登録されたオーディオファイル２５と、同じアーティストやジャンルの楽曲、したがって、直前に再生したプレイリスト２４に登録されたオーディオファイル２５と同じムードの楽曲であってユーザがその区間で聞きたいであろうと推定される楽曲を選択して再生することができる。ただし、プレイリスト２４に登録された最初の再生順のオーディオファイル２５の再生前は、直前に再生したプレイリスト２４に登録されたオーディオファイル２５が存在しないので、この最初の再生順のオーディオファイル２５と同じアーティストやジャンルの楽曲を再生するようにしている。
【００７２】
【発明の効果】
以上のように、本発明によれば、ユーザが、ドライブ中に再生する楽曲の再生スケジュールを作成する場合に、楽曲が再生される走行区間を認識できるようにすることができる。また、本発明によれば、ユーザがドライブする区間の一部についてのみ再生する楽曲を規定した場合でも、ドライブする全区間に渡って、ユーザの意図にあったムードの楽曲を順次再生することができる。
【図面の簡単な説明】
【図１】本発明の第１実施形態に係る車載システムの構成を示すブロック図である。
【図２】本発明の第１実施形態に係る表示画面例を示す図である。
【図３】本発明の第１実施形態に係る楽曲再生制御処理の手順を示すフローチャートである。
【図４】本発明の第２実施形態に係る楽曲再生制御処理の手順を示すフローチャートである。
【図５】本発明の第２実施形態に係る表示画面例を示す図である。
【図６】本発明の第３実施形態に係る楽曲再生制御処理の手順を示すフローチャートである。
【図７】本発明の第３実施形態に係る楽曲再生制御処理の手順を示すフローチャートである。
【図８】本発明の第３実施形態に係る表示画面例を示す図である。
【符号の説明】
１…制御部、２…ＨＤＤ、３…メモリ、４…ナビゲーション部、５…操作部、６…表示制御部、７…表示部、８…ＣＤドライブ、９…オーディオコーデック、１０…Ｄ／Ａ変換器、１１…アンプ、１２…スピーカ、１３…状態検知部、２１…ＣＤ−ＤＡ、２２…地図データ、２３…ＣＤＤＢ、２４…プレイリスト、２５…オーディオファイル、４１…現在位置算出部、４２…ルート探索部、４３…案内処理部。
【図１】
2005037142.tif 000003
【図２】
2005037142.tif 000004
【図３】
2005037142.tif 000005
【図４】
2005037142.tif 000006
【図５】
2005037142.tif 000007
【図６】
2005037142.tif 000008
【図７】
2005037142.tif 000009
【図８】
2005037142.tif 000010